(57)【特許請求の範囲】
【請求項１】
水を入れる内容器と、
この内容器を保持する枠体と、
前記内容器の上部開口部を開閉自在に覆う蓋体と、
この蓋体を前記枠体に回動自在に支持するヒンジ部と、
このヒンジ部の反対側にあって前記蓋体に移動自在に設けられ、前記枠体に形成した係合部に係合して該蓋体を閉じた状態に保持するラッチと、
前記蓋体を開ける際に操作して、前記ラッチを移動させることで前記係合部との係合を解除するラッチボタンを前記ラッチとは別体に、前記蓋体に備えるとともに、
前記ラッチの動きを直接規制するラッチ規制片を前記ラッチボタンとは別体にかつラッチの移動方向とは異なる方向に移動可能に前記蓋体に更に設け、
このラッチ規制片をラッチの移動を直接規制する規制位置と該ラッチの移動を可能にする解除位置へ操作する操作突起を蓋体表面の外方に突出させたロック操作部が蓋体に摺動自在に設けられたことを特徴とする容器の蓋体構造。
【請求項２】
水を入れる内容器と、
この内容器を保持する枠体と、
前記内容器の上部開口部を開閉自在に覆う蓋体と、
この蓋体を前記枠体に回動自在に支持するヒンジ部と、
このヒンジ部の反対側にあって前記蓋体に移動自在に設けられ、前記枠体に形成した係合部に係合して該蓋体を閉じた状態に保持するラッチと、
前記蓋体を開ける際に操作して、前記ラッチを移動させることで前記係合部との係合を解除するラッチボタンをその操作部が蓋体表面に臨むように前記蓋体の窪んだ凹所に備えるとともに、
前記ラッチの動きを規制するラッチ規制片を、その一端がラッチの溝に嵌まり込んでラッチの移動を規制するように蓋体内部に設け、
このラッチ規制片に対してその一端がラッチの溝に嵌まり込む方向への力を加える弾性体を設け、
押圧部に蓋体内部方向への力を加えることによりラッチ規制片の一端をラッチの溝から外してラッチの規制を解除するロック操作部をその押圧部が蓋体の凹所の壁部よりも外方に突出するように設け、この弾性体の付勢力に抗してロック操作部を押圧しているときには前記ラッチ規制片によるラッチの規制を解除することを特徴とする容器の蓋体構造。
【請求項３】
水を入れる内容器と、
この内容器を保持する枠体と、
前記内容器の上部開口部を開閉自在に覆う蓋体と、
この蓋体を前記枠体に回動自在に支持するヒンジ部と、
このヒンジ部の反対側にあって前記蓋体に移動自在に設けられ、前記枠体に形成した係合部に係合して該蓋体を閉じた状態に保持するラッチと、
前記蓋体を開ける際に操作して、前記ラッチを移動させることで前記係合部との係合を解除するラッチボタンを前記蓋体の凹所に備えるとともに、
前記ラッチの動きを規制するラッチ規制片を前記蓋体に更に設け、
蓋体の内部の凹所に対向する位置にラッチ規制片をラッチの移動方向と直交する支軸でシーソー構造となるように枢着し、ラッチ規制片の一端がラッチに形成した溝に嵌まり込んでラッチの移動を規制するように形成し、このラッチ規制片の一端が溝に嵌まり込む方向の力が加わるように弾性体を設け、このラッチ規制片の他端に当接するロック操作部を蓋体の凹所壁の穴に設けて、ロック操作部が弾性体の付勢力によりラッチ規制片を介して凹所壁よりも外方に突出するようにし、この弾性体の付勢力に抗してロック操作部を押圧しているときには前記ラッチ規制片による規制を解除することを特徴とする容器の蓋体構造。
【請求項４】
蓋体を開くために指でラッチボタンを操作するときに、その指が必然的に触れる場所に、前記ロック操作部の押圧部を設けたことを特徴とする請求項２または３に記載の容器の蓋体構造。
【請求項５】
水を入れる内容器と、
この内容器を保持する枠体と、
前記内容器の上部開口部を開閉自在に覆う蓋体と、
この蓋体を前記枠体に回動自在に支持するヒンジ部と、
このヒンジ部の反対側にあって前記蓋体に移動自在に設けられ、前記枠体に形成した係合部に係合して該蓋体を閉じた状態に保持するラッチと、
前記蓋体を開ける際に操作して、前記ラッチを移動させることで前記係合部との係合を解除するラッチボタンを前記蓋体側に備えるとともに、
前記ラッチの動きを規制するラッチ規制片を前記蓋体側に更に設け、
このラッチ規制片を操作するロック操作部を蓋体表面またはその近傍に臨ませ、
ラッチボタンは蓋体の上部に設けた凹所に一方を回動自在に取り付けたレバー方式部材であり、前記ロック操作部の操作と連動してラッチボタンを操作する指を挿入するための凹所入口を覆うように開閉するカバーを設け、前記カバーは前後方向に細長いほぼ長円孔と左右方向に細長いほぼ長円孔とを有し、ロック操作部がラッチを規制する操作位置にあるときには、前記カバーにより前記凹所入口が覆われるものであって、
ロック操作部は、蓋体上面に突出した回転ツマミの下部に回転中心のボスと開閉ボスを設け、回転中心のボスを回転ツマミが回転可能に蓋体に取り付け、前記回転中心のボスをカバーの前後方向に細長いほぼ長円孔を貫通するように配設し、開閉ボスをカバーの左右方向に細長いほぼ長円孔を貫通するように配設し、回転ツマミの回転動作を開閉ボスとほぼ長円孔を介してカバーの凹所入口を前後方向へ開閉する動作に変換するようになっていることを特徴とする容器の蓋体構造。
【請求項６】
ロック操作部の開閉ボスは、回転ツマミがカバーを閉じる位置にあるときに開閉ボスの下端がラッチの後端に位置してラッチの移動を規制する規制片としたことを特徴とする請求項５に記載の容器の蓋体構造。
【発明の詳細な説明】
【０００１】
【発明の属する技術分野】
本発明は、電気湯沸し器や保温ポット、または、保温式炊飯器や調理鍋等の容器の蓋体構造に関するものである。
【０００２】
【従来の技術】
従来技術について、図９に基づき、保温式電気湯沸し器の例で説明する。従来、この種の保温式電気湯沸し器の蓋体１００は、上端が開口した内容器１０１を内挿した本体上枠１０２の後部ヒンジ１０３に回動可能に取り付けられており、この取り付け位置と反対側の端部には、内容器１０１への閉塞状態を保持するためのラッチ１０４等からなるロック機構１０５が設けられている。このロック機構１０５としては、蓋体１００上部に回動可能に取り付けたラッチボタン１０６を引き上げることにより、蓋体１００と本体１０２との係合部１０７の係合を解除するようにしたレバー方式が、操作性、蓋体開閉の確実性、構造のシンプル性等の観点から蓋体構造として主流となっている。
【０００３】
このような構成の蓋体構造は通常の使用では問題はないが、たまたまラッチボタン１０６に触ったときに、ロック機構１０５が意図に反して緩む場合があり、この場合には閉めなおす必要が生じる。
【０００４】
この対策として、例えば特開平１０−１５５６５８号では、本体上枠１０２に設けた出湯ロックレバー１０８を操作することにより、本体上枠１０２から蓋体１００内に延出した蓋体ロックアーム１０９が、ラッチボタン１０６の動きを規制し、蓋体１００を閉塞状態にロックする構造のものが開示されている。また、特開平１１−１９７０２１号では上記レバー方式の蓋体においてラッチボタン１０６操作のために指を挿入する凹所１１０にカバーを設ける構造のものが開示されている。
【０００５】
【発明が解決しようとする課題】
特開平１０−１５５６５８号のものは、蓋体と本体は後部のヒンジ部１０３を回動中心としているため、即ちヒンジ軸が基準となってしまうため、蓋体１００や本体側の各部品のバラツキがヒンジ軸とは反対側の前部に集約され、特に蓋体１００と本体の係合部の寸法バラツキが大きくなる。従って、本体側より蓋体ロックアーム１０９が蓋体１００内に侵入し、確実にラッチボタンの動きを規制するためには部品精度を厳しくする必要があり、また蓋体を本体に組み込まないとその動作の確認ができなかった。
また、特開平１１−１９７０２１号のものは、蓋体のラッチを機械的にロックしていないために本体が転倒したときにその衝撃力でラッチが移動し蓋体が意図に反して緩むことが考えられる。
【０００６】
上記課題を解決するために、本発明はラッチ自身の動きを直接規制することにより、蓋体を閉塞状態に確実にロックし、意図に反して蓋の閉塞状態が解除されることを防止できる容器の蓋体構造を提供することを目的とする。
【０００７】
【課題を解決するための手段】
上記目的を達成するため、本発明は次の構成を有する。
請求項１記載の発明は、水を入れる内容器と、この内容器を保持する枠体と、前記内容器の上部開口部を開閉自在に覆う蓋体と、この蓋体を前記枠体に回動自在に支持するヒンジ部と、このヒンジ部の反対側にあって前記蓋体に移動自在に設けられ、前記枠体に形成した係合部に係合して該蓋体を閉じた状態に保持するラッチと、前記蓋体を開ける際に操作して、前記ラッチを移動させることで前記係合部との係合を解除するラッチボタンを前記ラッチとは別体に、前記蓋体に備えるとともに、前記ラッチの動きを直接規制するラッチ規制片を前記ラッチボタンとは別体にかつラッチの移動方向とは異なる方向に移動可能に前記蓋体に更に設け、このラッチ規制片をラッチの移動を直接規制する規制位置と該ラッチの移動を可能にする解除位置へ操作する操作突起を蓋体表面の外方に突出させたロック操作部が蓋体に摺動自在に設けられたことを特徴とする容器の蓋体構造である。
この構成により、ロック操作部を操作することにより、ラッチ規制片が直接ラッチの動きを規制するので、蓋体のロック動作が確実であり、信頼性が高い。
【０００８】
請求項２記載の発明は、水を入れる内容器と、この内容器を保持する枠体と、前記内容器の上部開口部を開閉自在に覆う蓋体と、この蓋体を前記枠体に回動自在に支持するヒンジ部と、このヒンジ部の反対側にあって前記蓋体に移動自在に設けられ、前記枠体に形成した係合部に係合して該蓋体を閉じた状態に保持するラッチと、前記蓋体を開ける際に操作して、前記ラッチを移動させることで前記係合部との係合を解除するラッチボタンをその操作部が蓋体表面に臨むように前記蓋体の窪んだ凹所に備えるとともに、前記ラッチの動きを規制するラッチ規制片を、その一端がラッチの溝に嵌まり込んでラッチの移動を規制するように蓋体内部に設け、このラッチ規制片に対してその一端がラッチの溝に嵌まり込む方向への力を加える弾性体を設け、押圧部に蓋体内部方向への力を加えることによりラッチ規制片の一端をラッチの溝から外してラッチの規制を解除するロック操作部をその押圧部が蓋体の凹所の壁部よりも外方に突出するように設け、この弾性体の付勢力に抗してロック操作部を押圧しているときには前記ラッチ規制片によるラッチの規制を解除することを特徴とする容器の蓋体構造である。
この構成により、ロック操作部を押圧していない時は自動的にラッチのロックがかかり、ロック忘れを防ぐことができる。
また、請求項３記載の発明は、水を入れる内容器と、この内容器を保持する枠体と、前記内容器の上部開口部を開閉自在に覆う蓋体と、この蓋体を前記枠体に回動自在に支持するヒンジ部と、このヒンジ部の反対側にあって前記蓋体に移動自在に設けられ、前記枠体に形成した係合部に係合して該蓋体を閉じた状態に保持するラッチと、前記蓋体を開ける際に操作して、前記ラッチを移動させることで前記係合部との係合を解除するラッチボタンを前記蓋体の凹所に備えるとともに、前記ラッチの動きを規制するラッチ規制片を前記蓋体側に更に設け、蓋体の内部の凹所に対向する位置にラッチ規制片をラッチの移動方向と直交する支軸でシーソー構造となるように枢着し、ラッチ規制片の一端がラッチに形成した溝に嵌まり込んでラッチの移動を規制するように形成し、このラッチ規制片の一端が溝に嵌まり込む方向の力が加わるように弾性体を設け、このラッチ規制片の他端に当接するロック操作部を蓋体の凹所壁の穴に設けて、ロック操作部が弾性体の付勢力によりラッチ規制片を介して凹所壁よりも外方に突出するようにし、この弾性体の付勢力に抗してロック操作部を押圧しているときには前記ラッチ規制片による規制を解除することを特徴とする容器の蓋体構造である。
この構成により、ロック操作部を押圧していない時は自動的にラッチのロックがかかり、ロック忘れを防ぐことができる。
【０００９】
また、請求項４記載の発明は、請求項２または３に記載の容器の蓋体構造において、蓋体を開くために指でラッチボタンを操作するときに、その指が必然的に触れる場所に、前記ロック操作部の押圧部を設けている。この構成によりわざわざロック解除の操作をする必要がなく、使い勝手がよくなる。
【００１０】
また、請求項５の発明は、水を入れる内容器と、この内容器を保持する枠体と、前記内容器の上部開口部を開閉自在に覆う蓋体と、この蓋体を前記枠体に回動自在に支持するヒンジ部と、このヒンジ部の反対側にあって前記蓋体に移動自在に設けられ、前記枠体に形成した係合部に係合して該蓋体を閉じた状態に保持するラッチと、前記蓋体を開ける際に操作して、前記ラッチを移動させることで前記係合部との係合を解除するラッチボタンを前記蓋体側に備えるとともに、前記ラッチの動きを規制するラッチ規制片を前記蓋体側に更に設け、このラッチ規制片を操作するロック操作部を蓋体表面またはその近傍に臨ませ、ラッチボタンは蓋体の上部に設けた凹所に一方を回動自在に取り付けたレバー方式部材であり、前記ロック操作部の操作と連動してラッチボタンを操作する指を挿入するための凹所入口を覆うように開閉するカバーを設け、前記カバーは前後方向に細長いほぼ長円孔と左右方向に細長いほぼ長円孔とを有し、ロック操作部がラッチを規制する操作位置にあるときには、前記カバーにより前記凹所入口が覆われるものであって、ロック操作部は、蓋体上面に突出した回転ツマミの下部に回転中心のボスと開閉ボスを設け、回転中心のボスを回転ツマミが回転可能に蓋体に取り付け、前記回転中心のボスをカバーの前後方向に細長いほぼ長円孔を貫通するように配設し、開閉ボスをカバーの左右方向に細長いほぼ長円孔を貫通するように配設し、回転ツマミの回転動作を開閉ボスとほぼ長円孔を介してカバーの凹所入口を前後方向へ開閉する動作に変換するようになっていることを特徴とする容器の蓋体構造である。
この構成により、ロック操作部がラッチを規制する操作位置にあるときには、前記カバーにより前記凹所入口が覆われる構造としている。この構成により、蓋体をロックすれば自動的に空間部がカバーされるので凹部に埃が入りにくくなり、またロックをしたかどうかも視覚的に分かり易いなど、使い勝手がよくなる。
なお、請求項６記載の発明は、請求項５記載の容器の蓋体構造において、ロック操作部の開閉ボスは、回転ツマミがカバーを閉じる位置にあるときに開閉ボスの下端がラッチの後端に位置してラッチの移動を規制する規制片とした。
【００１１】
【発明の実施の形態】
以下、本発明に係る容器として電気湯沸し器を例に挙げ、その蓋体構造の実施形態を、図面を参照しながら説明する。なお、本説明では図２に示すように電気湯沸し器の吐出口がある方を「前」、ヒンジのある方を「後」、また電気湯沸し器を「前」から見た場合に左側を「左」、右側を「右」とする。
【００１２】
（第１の実施の形態）
図１〜図３は本発明の第１の実施形態を示す電気湯沸し器の説明図であり、図１は全体構成を示す側面断面図、図２は同平面図、図３は蓋体の開閉機構を模式的に説明するための分解斜視図である。
【００１３】
図１から図３において、１は本体で、筒状の胴体２とその上部を覆い水などの液体を収納する内容器３を内挿する枠体４と、本体１下部を覆う底カバー５とで構成されている。
【００１４】
枠体４の前部はくちばし部（くちばし形状部分）６になっており、逆「Ｊ」の字状の吐出口７の上方をカバーするように前方に突出している。
【００１５】
また、枠体４の蓋体８に対向する位置にテーパー面９ａを有する断面略三角形の係合部９が形成されている。内容器３内の液体を外部に注出するための注出路１０は本体１内の前部に設けられ、その始端は注出ポンプ１１を介して内容器３の底部に接続され、一方、終端は膨らんだ部屋１０ａになっていてその部屋１０ａ中に弾性樹脂からなり上部が平坦で下部先細い全体が概略コマ状の安全弁１２を収容し、上部が円還状の端面の安全弁座１２ａを介して吐出口７に接続される。安全弁１２の側面下方は転倒時に安全弁１２が安全弁座１２ａの方へ移動し易いように下すぼまりのテーパーがついており、転倒時に素早く安全弁座１２ａを閉じ内容器３内の湯が吐出口から流出しないようになっている。
【００１６】
注出ポンプ１１は電動モーター１３により駆動される。１４は内容器３外底面に装着された発熱体であり、図示はしていないが温度センサーや温度制御装置の働きで前記発熱体の発熱制御を行って、内容器３内の水を加熱沸騰させた後、高温度（約９７℃）に保温する。
【００１７】
蓋体８は内容器３上部開口部を覆い、枠体４後部に設けたヒンジ部（ヒンジ軸）１５を中心に回動自在に取り付けられている。蓋体８は樹脂製の上蓋１６とその下側開口を覆う樹脂製の蓋カバー１７が嵌着され、さらに蓋カバー１７の下面を覆うようにステンレス製の内蓋１８が装着固定されている。
【００１８】
上蓋１６上面には左右に長い凹所１９を形成し、その後ろ半分は周壁２０となっている（図２を参照）。２１は凹所１９に設けられ、軸２２を中心に回動するラッチボタンで、水平部と垂直部を有する軸垂直断面が略Ｌ型形状を呈しておりその水平部である操作ツマミ（摘み）２３は上蓋１６上面に臨み、垂直部である開閉片２４は後述するラッチ２５の連結軸２５ｂと互いに押圧するように構成されている。
【００１９】
蓋体８を開く時、操作ツマミ２３の下面に指がかかるように凹所１９の周壁２０と操作ツマミ２３間は指が入る隙間を有する。
【００２０】
ラッチ２５は、図３に示すように、平面視でコの字型形状を有し前後方向にスライド自在に設けられており、コの字状の上辺と下辺に相当するラッチ片２５ａ、２５ａと、このラッチ片２５ａ、２５ａを連結している連結軸２５ｂとから構成されている。ラッチ片２５ａの前部先端部はそれぞれ断面三角形（図の例では下辺が前上がりの三角形形状）のテーパー面２５ｃを有し、該テーパー面２５ｃがそれと対向する蓋カバー１７の垂直部分に設けた貫通穴２９より突出するように、係合バネ２７により前方に付勢されており、蓋体８の閉成状態では枠体４の係合部９の下面と重なり合うように係合している。
【００２１】
ラッチボタン２１の前方には、ロック操作部（図の例では、ガイドベース３０ａ中央に操作突起３０ｂが突出したもの）３０が上蓋１６を貫通して外部から操作できるよう外方に操作突起３０ｂが突出して設けられており、左右方向に摺動自在となるようガイドベース３０ａが蓋体８に保持されている。蓋体８内部には前記ロック操作部３０とは無理バメ（無理嵌め）や接着などにより接合したラッチ規制片（図の例ではステンレス線を中央の突出した概略弓状に曲げて形成したもの）３１を設け、ロック操作部３０とともに左右方向に摺動自在となっている。なお、ロック操作部３０とラッチ規制片３１とは樹脂材料等により一体成型としてもよい。このロック操作部３０を図３のように右方向（ロック方向）に移動させた時には、ラッチ規制片３１の先端部分３１ａ、３１ａがそれと対向するラッチ片２５ａ、２５ａ側面に設けた貫通穴２５ｄ、２５ｄに嵌り込み、ラッチ２５は前後方向への移動ができなくなる。一方、ロック操作部３０を左方向（解除方向）に移動すると、ラッチ規制片３１の先端部分３１ａ、３１ａがラッチ片２５ａ、２５ａ側面の貫通穴２５ｄ、２５ｄより外れるため、ラッチ２５は前後方向への移動が可能となる。
【００２２】
また、係合バネ２７により連結軸２５ｂを通じラッチボタン２１には図１において時計方向の回転力が加えられており、蓋体８の閉成状態においてラッチボタン２１が所定の位置で安定するように、凹所１９底部から上方に伸びるストップリブ２８を設けており、合わせてラッチボタン２１の操作時に指が蓋体８の内部に入り込まないようにしている。
【００２３】
また、内蓋１８の周縁部には断面Ｕ字の円環状でシリコンゴム製のパッキン３７が装着され、また内蓋１８と蓋カバー１７間はネジ等の固定手段によりパッキン３７を介して空隙３８を有するように、且つ水密に固定されている。蓋カバー１７のヒンジ部１５に近い部分からは筒状のボス４０を立設しており、ボス４０の上面には蒸気を逃すために蒸気抜き穴４２を設けている。ボス４０と内蓋１８間には球状のステンレス鋼からなる止水弁４４が上下動自在に収納され、通常蓋体８を閉じている状態では止水弁４４は内蓋１８の上に着座しており蒸気抜き穴４２は開放されている。器体が転倒した時に止水弁４４が上方に移動し蒸気抜き穴４２を閉じるように構成している。蓋体８の閉成状態では内容器３の上部開口フランジ部にパッキン３７が密着し内容器３と内蓋１８間は水密になっており、内容器３内の加熱蒸気は内蓋１８に設けた小穴３９から空隙３８を通りボス４０部から蒸気抜き穴４２を通じて、上蓋１６に設けた蒸気排出口４５から排出される。
【００２４】
上記構成における電気湯沸し器の動作について説明する。図１に示す状態から蓋体８を開いて内容器３内に水を入れるために、先ず、ロック操作部３０を左方向（解除位置）に操作する。この状態においては、ロック操作部３０と連動するラッチ規制片３１の先端部分３１ａ、３１ａがラッチ片２５ａ、２５ａの貫通穴２５ｄ、２５ｄに嵌り込んでいないために、ラッチ２５は前後方向へ移動自在となっている。
【００２５】
次に、ラッチボタン２１の操作ツマミ２３の下面に指をかけて上方へ引き上げるように軸２２を中心に回転させると、操作ツマミ２３と一体の開閉片２４も軸２２を中心に反時計方向に回転し、それに追従して連結軸２５ｂが係合バネ２７のバネ力に抗して後方に押され、それに従い、ラッチ２５が後方に移動しラッチ片２５ａの先端部が枠体４に設けられた係合部９下面の嵌合部から外れて蓋体８を開くことができるようになる。この場合、蓋体８は角度９０度強開いたところで保持でき、この時、操作ツマミ２３から手を放すと係合バネ２７のバネ力によりラッチ２５や開閉操作ツマミ２３は元の位置に戻る。
【００２６】
次に、内容器３に水を入れその後に蓋体８を閉じる過程では、先ず、枠体４のテーパー面９ａと蓋体８側のテーパー面２５ｃが接触し、ここで蓋体８の前方上部を指先で下向きに少し強く押し込むと、その下向きの力はテーパー面９ａ、２５ｃの作用によりラッチ２５を後方に移動させる力になり、その結果、ラッチ２５が係合バネ２７のバネ力に抗して後退し、係合部９のテーパー面９ａの山を乗り越えることにより係合部９下面と嵌合し、蓋体８を完全に閉じることができる。
【００２７】
ここで、ロック操作部３０を右方向（ロック位置）に操作することにより、ラッチボタン２１を操作しても蓋体８を開くことはできない。つまり、ロック操作部３０と連動するラッチ規制片３１の先端部分３１ａ、３１ａがラッチ片２５ａ、２５ａの貫通穴２５ｄ、２５ｄに嵌り込むためにラッチ２５の前後方向への移動ができなくなり、蓋体８は開くことはない。
【００２８】
この後、電源を投入すると、内容器３内の水は発熱体１４により加熱沸騰され、その後高温（約９７℃）で保温される。加熱中の蒸気は、蒸気通路４６である、内蓋１８の小穴３９と蒸気抜き穴４２を経て上蓋１６の蒸気排出口４５から放出される。
【００２９】
出湯する時は、枠体４のくちばし部６上部に設けた出湯スイッチ４６を押すと電動モーター１３が回転してこれにより注出ポンプ１１が駆動し、内容器３内の湯を注出路１０を経て吐出口７から出湯させることができる。
【００３０】
上記説明から明らかなように、本実施の形態においてはロック操作部３０を操作することにより、蓋体８を閉じた状態に保持するラッチ２５の動きを直接阻止するので確実なロック機構を得ることができる。また、このロック状態においては、器体が倒れたとしても、ラッチ２５の移動が規制されているため蓋体８は開くことがなく、また安全弁１２や止水弁４４の働きも相侯って内容器３内の湯が流出することがない。さらに、蓋体組品単独でロック操作部３０のロック機構の動作確認ができるので器体組立後の蓋体開閉機構の動作不良を無くすことができる。
【００３１】
（第２の実施の形態）
図４及び図５は本発明の第２の実施形態に係る電気湯沸し器における蓋体付近を示す図である。図４は蓋体の開閉機構部分の部分断面図であり、図４（ａ）は蓋体を開くためにラッチに指をかける直前の断面図であり、図４（ｂ）は蓋体を開くためにラッチに指をかけた時の断面図である。また、図５は蓋体部の平面図である。なお、この第２の実施形態は、前記第１の実施形態とは蓋体の開閉機構部周辺部のみ異なっており、その部分以外の説明は省略するとともに同一部分には同一符号を付す。
【００３２】
図４において、蓋体８内部にあって上蓋１６の凹所１９に対向する位置に、長方形の板状のラッチ規制片５０を、蓋カバー１７に形成した支軸５１でシーソー構造となるように枢着し、その支軸５１はラッチ２５の移動方向とは直交している。シーソー動作をするラッチ規制片５０の前方の一端は軸方向視で略Ｌ型形状を呈して下向きの垂直壁５０ａを有する。この垂直壁５０ａに常に下方向の力が加わるように、圧縮ばねなどの弾性体５２が上蓋１６とラッチ規制片５０間に配設されている。ラッチ２５の連結軸２５ｂの上面には長溝５３が設けられており、ラッチボタン２１を操作していない時にはラッチ規制片５０の垂直壁５０ａが長溝５３に嵌り込むよう形成されている。
【００３３】
一方、上蓋１６の凹所１９の周壁２０に角穴５４を設け、この角穴５４内に回動自在に側方視でほぼＬ型形状のロック操作部５５を設けている。詳しくは、ロック操作部５５の一端は角穴５４の上辺５４ａ近傍の壁部で軸支され、ロック操作部５５の他端は角穴５４の下辺５４ｂ付近を通りラッチ規制片５０の後部（垂直壁５０ａとは支軸５１を挟んで反対側）に当接している。ロック操作部５５のＬ型に彎曲したコーナー部分５５ａは、弾性体５２の付勢力によりラッチ規制片５０を介して凹所１９の周壁面２０より外方へ突出するように設けられている。
【００３４】
第２の実施形態に係る湯沸し器の蓋体の動作について説明する。蓋体８を閉じた状態ではラッチ規制片５０の垂直壁５０ａがラッチ２５の連結軸２５ｂの長溝５３に嵌り込んでいるため、ラッチボタン２１を操作しようとしてもラッチ２５は動かないので蓋体８は開かない。蓋体８を開閉する時には、凹所１９の周壁部２０から突出しているロック操作部５５の彎曲した部分５５ａを押し下げることにより、弾性体５２の付勢力に抗してラッチ規制片５０の後部も押し下げられ、それにともないシーソー効果でラッチ規制片５０の垂直壁５０ａが上昇し、連結軸２５ｂの長溝５３との嵌合が外れるため、即ちラッチ２５の規制が解除されるため、ラッチボタン２１を操作すればラッチ２５が移動し、蓋体８を開閉することができる。
【００３５】
蓋体８の開閉が終りラッチボタン２１やロック操作部５５から手または指を離すと、ラッチ２５は係合ばね２７の付勢力により元の位置に戻るとともに、弾性体５２の付勢力によりラッチ規制片５０の垂直壁５０ａも元の長溝５３に嵌合するため、ラッチボタン２１を操作しようとしてもラッチ２５は動かないので蓋体８は開かない。つまり、ロック操作部５５を押し下げていない時は蓋体８が開くことはない。即ち蓋体８が開かないようにわざわざロック操作をする必要がなく、常にロックがかかった状態になっている。従って、不用意にラッチボタンに触れたり、また器体が倒れても、蓋体が開いたりすることがないので内容器３内の湯漏れが生じない。特にロック操作部を窪んだ凹所に設けているので、意図に反してロック解除するときが全くない。
【００３６】
更に、通常蓋体８を開く場合、ラッチボタン２１を摘むために指５６を凹所１９に入れるが、この時、同時に前記ロック操作部５５の湾曲した部分５５ａを押し下げるような寸法関係としている。従って、ラッチボタン２１と凹所１９に設けたロック操作部５５の間に指を入れて操作する時に、その指が必然的に触れてロック操作部５５を押し下げることになるので、蓋体８の開閉時においてロック操作部５５を操作してからラッチボタン２１を操作するといった２段操作（２段動作）があたかも１回の操作で済む１段操作のようにして使うことができ、非常に使い勝手がよくなる。加えて蓋体８を表面から触っただけでは指がラッチボタン２１とロック操作部５５とを同時に触ることができない位置関係にすることにより、不用意にロックが解除したり蓋体が開いたりしてしまうことがない。
【００３７】
（第３の実施の形態）
図６〜図８は本発明の第３の実施形態に係る電気湯沸し器の説明図である。図６は蓋体の開閉機構部分の要部断面図であり、図６（ａ）はラッチボタンが操作できない状態の要部断面図であり、図６（ｂ）はラッチボタンが操作可能な状態の要部断面図である。図７は蓋体の開閉機構を模式的に説明するための分解斜視図であり、図８は蓋件の平面図である。この第３実施形態は、第２の実施形態とは蓋体のラッチの開閉機構部周辺部のみ異なっており、その部分以外の説明は省略するとともに同一部分には同一符号を付す。
【００３８】
図６〜図８において凹所１９の周壁２０の後面上部に左右方向に細長いスリット穴６１を設け、このスリット穴６１を前後方向にスライド可能にカバー６２を設ける。このカバー６２が図６（ａ）のように前方に移動した時には、凹所入口６３が覆われ、ラッチボタン２１を操作するための指を入れることができない。一方、カバー６２が図６（ｂ）のように、後方に移動すると凹所入口６３が現れ、ラッチボタン２１を操作するための指を凹所１９に入れることができる。カバー６２は図７のように樹脂製で略平板形状をしており、上蓋１６の下面に対向する面に前後方向に細長い中央小判形穴（ほぼ長円孔）６４と、カバー６２の左側で左右方向に細長い左小判形穴（ほぼ長円孔）６５を設けている。
【００３９】
６６はロック操作部であり、円形の回転ツマミ６６ａに２本のボスを同一方向に設けており、１本は回転ツマミ６６ａの中心に設けた回転ボス６６ｂでありカバー６２の中央小判形穴６４を貫通、他の１本はカバー６２の左小判形穴６５を貫通する開閉ボス６６ｃである。上蓋１６の凹所１９後方部には回転ボス６６ｂの挿入用丸穴６７と、開閉ボス６６ｃの挿入用円弧穴６８が設けられている。開閉ボス６６ｃの下端はラッチ２５の連結軸２５ｂの突出部後面２５ｅに近接し、且つ近接したまま開閉ボス６６ｃが回転ボス６６ｂを中心に回転可能なように突出部後面２５ｅは円弧状になっている。また、６９は蓋カバー１７に取り付けた回転軸である。
【００４０】
記各部品の組立構成は、先ずカバー６２をスリット穴６１に挿入する。このカバー６２は上蓋１６の裏面に沿って水平で前後方向にスライド可能になっている。次に、ロック操作部６６を上蓋１６の丸穴６７と円弧穴６８に上方から挿入する。詳しくは、ロック操作部６６の回転ボス６６ｂを上蓋１６の丸穴６７とカバー６２の中央小判形穴６４に、また開閉ボス６６ｃを上蓋１６の円弧穴６８とカバー６２の左小判形穴６５に挿入する。挿入後、回転ボス６６ｂを回転軸６９と嵌合させると、上蓋１６上面に突出した回転ツマミ６６ａが回転可能となり、この回転に伴い開閉ボス６６ｃも回転し、この回転動作が左小判形穴６５を介してカバー６２の前後方向の動きになる。回転ツマミ６６ａの回転角度は、カバー６２が凹所入口６３を完全に覆う位置（図６（ａ）の状態であり、図７で回転ボス６６ｂと開閉ボス６６ｃがＸ位置にある状態）から、凹所入口６３を完全にオープンにする位置（図６（ｂ）の状態であり、図７で回転ボス６６ｂと開閉ボス６６ｃがＹ位置にある状態）に対応する。図８のロック操作部６６の「閉」位置は図７のＸ位置に対応し、図８のロック操作部６６の「開」位置は図７のＹ位置に対応している。従って、回転ツマミ６６ａを「閉」〜「開」の間で回転（回動）させることにより、その回転量に応じてカバー６２が中央小判形穴６４のＸ〜Ｙ間で前後方向に摺動して凹所入口６３を開閉する。
【００４１】
また、回転ツマミ６６ａが「閉」位置にあるときは、図７において開閉ボス６６ｃの下端部が連結軸２５ｂの突出部後面２５ｅに対向する位置（Ｘ位置）にある。このため、連結軸２５ｂ即ちラッチ２５は前後方向の動きが封じられている。この位置から回転ツマミ６６ａを「開」方向（Ｙ方向）に回転させる途中で、開閉ボス６６ｃが突出部後面２５ｅから外れるが、その位置をＺとする。ここで、開閉ボス６６ｃが突出部後面２５ｅのＸ−Ｚ間にあるときはラッチ２５の動きが、開閉ボス６６ｃにより規制され蓋体８を開くことができず、開閉ボス６６ｃがＺ−Ｙ間にあるときは、ラッチ２５の動きが開閉ボス６６ｃにより規制されていないので蓋体８を開くことができる。
【００４２】
なお、ここで開閉ボス６６ｃがＸ−Ｚ間にある時は、カバー６２の後方への移動量を少なくして、ラッチボタン２１を操作するための指が凹所入口６３から入らないように、また、開閉ボス６６ｃがＺ−Ｙ間にある時は、カバー６２の後方への移動量を多くして、ラッチボタン２１を操作するための指が凹所入口６３から入るように、Ｚ位置即ち突出部後面２５ｅの幅寸法を決めている。また、回転ツマミ６６ａが「閉」位置や「開」位置に到達した時や、それらの位置から離脱するときに、クリック感を持たせれば、操作感覚もよくなる。
【００４３】
第３の実施形態に係る蓋体の開閉機構の動作については、蓋体８を開閉する時以外は、通常回転ツマミ６６ａ即ちロック操作部６６を「閉」位置にしておく。この場合、ラッチボタン２１を操作するための凹所１９をカバー６２が覆っているため、ラッチボタン２１を操作することができないので、蓋体８が開くことはない。また、ロック操作部６６が「閉」位置にあれば、器体が倒れても、ラッチ２５の移動が開閉ボス６６ｃにより規制されているため蓋体８は開くことはない。さらに、カバー６２があるため、凹所１９に埃なども溜まりにくい上、外観上見栄えが良いとともに、上蓋１６を拭いたりする清掃も楽になる。
【００４４】
更にまた、蓋体の開閉機構のロック状態がカバー６２の開閉状態で分かるので、器体から少し離れた場所からでも容易にロック状態が確認でき、ロック忘れの可能性を少なくすることができる。
【００４５】
次に、内容器内に水を入れる場合や、内部を清掃する場合のように蓋体８を開く必要がある時はロック操作部６６を「開」位置にすれば、凹所１９を覆っているカバー６２が後退し、且つ開閉ボス６６ｃによるラッチ２５の移動規制が解除されているため、ラッチボタン２１を指で操作して、蓋体８を開くことができる。
【００４６】
【発明の効果】
以上説明したように、本発明によれば、電気湯沸し器等の容器における蓋体に設けたロック操作部を操作することにより、それと連動するラッチ規制片が蓋体を係合しているラッチの動きを直接規制するので、蓋体のロックが確実に行え、また電気湯沸し器などの器体が倒れても、その衝撃でラッチが動いて蓋体が開いたり緩んだりして容器内の水などが流出したりすることがなくなるという優れた効果を奏する。
【図面の簡単な説明】
【図１】本発明の第１の実施形態に係る電気湯沸し器の側面断面図である。
【図２】図１の電気湯沸し器の蓋体を中心に見た平面図である。
【図３】図１の電気湯沸し器における蓋体の開閉機構を模式的に説明するための分解斜視図である。
【図４】本発明の第２の実施形態に係る電気湯沸し器における蓋体の開閉機構部分の部分断面図であり、（ａ）はラッチに指をかける直前の断面図であり、（ｂ）はラッチに指をかけた時の断面図である。
【図５】本発明の第２の実施形態に係る電気湯沸し器の蓋体を中心に見た平面図である。
【図６】本発明の第３の実施形態に係る電気湯沸し器においての蓋体の開閉機構部分の要部断面図であり、（ａ）はラッチボタンが操作できない状態の要部断面図であり、（ｂ）はラッチボタンが操作可能な状態の要部断面図である。
【図７】図６の蓋体の開閉機構を模式的に説明するための分解斜視図である。
【図８】図６の電気湯沸し器の蓋体を中心に見た平面図である。
【図９】従来の電気湯沸し器の蓋体の断面図である。
【符号の説明】
３    内容器
４    枠体
８    蓋体
９    係合部
１５  ヒンジ部
１９  凹所
２１  ラッチボタン
２５  ラッチ
３０、５５  ロック操作部
３１、５０  ラッチ規制片
５２  圧縮ばね（弾性体）
６２  カバー
６３  凹所入口
【図１】
0003595236.tif 000002
【図２】
0003595236.tif 000003
【図３】
0003595236.tif 000004
【図４】
0003595236.tif 000005
【図５】
0003595236.tif 000006
【図６】
0003595236.tif 000007
【図７】
0003595236.tif 000008
【図８】
0003595236.tif 000009
【図９】
0003595236.tif 000010